(57)【要約】【課題】２重螺旋形状の発光管を用いて発光管の小型化を図ると共に、例えば、保持部材をカバーに組み込むことが容易にできる電球形蛍光ランプを提供することを目的とする。【解決手段】電球形蛍光ランプは、ガラス管１２０の端部まで旋回軸の廻りを旋回する２重螺旋形状に湾曲させてなる発光管１１０と、この発光管１１０を保持する有底筒状の保持部材と、保持部材の周壁２２０に被嵌合するケース等を備える。ガラス管１２０の各端寄り部分が、当該端部が旋回軸の方向に隣合うガラス管１２０との間隔が旋回軸の方向に広がるように形成されている。発光管１１０は、ガラス管１２０の端部が旋回軸方向に隣合うガラス管１２０の外周面と、当該外周面に対向する保持部材における端壁の表面との間隔Ｌ１が略１．５ｍｍとなるような状態で保持されている。【選択図】  図４
2004265735.tif 000002
【特許請求の範囲】
【請求項１】
ガラス管の中央部から両端部までが旋回軸の廻りを旋回する２重螺旋形状をした発光管と、端壁に形成されている受入口から前記ガラス管の端部を受け入れて前記発光管を保持する筒状の保持部材とを備える電球形蛍光ランプであって、前記ガラス管の各端寄り部分と、前記旋回軸の方向に隣合うガラス管との間隔が広がるように、前記ガラス管の端寄り部分の螺旋ピッチが前記ガラス管の中央部よりの螺旋ピッチよりも拡大されており、前記ガラス管の端部と前記旋回軸と平行な方向に隣合うガラス管の外周面部位と、前記端壁の表面との最小の間隔が、１．５ｍｍ以上４ｍｍ以下の範囲に設定されていることを特徴とする電球形蛍光ランプ。
【請求項２】
ガラス管の中央部から両端部までが旋回軸の廻りを旋回する２重螺旋形状をした発光管と、前記ガラス管の端部を受け入れて保持するための受入保持領域を端壁に一対備える筒状の保持部材とを備える電球形蛍光ランプであって、前記ガラス管の各端寄り部分と、前記旋回軸の方向に隣合うガラス管との間隔が広がるように、前記ガラス管の端寄り部分の螺旋ピッチが前記ガラス管の中央部よりの螺旋ピッチよりも拡大されており、前記端壁の表面における一対の受入保持領域間の略中央と、前記受入保持領域間の略中央に対向するガラス管の外周面部位との最小の間隔が、１．５ｍｍ以上４ｍｍ以下の範囲に設定されていることを特徴とする電球形蛍光ランプ。
【請求項３】
前記螺旋ピッチが拡大し始めるピッチ拡大位置は、前記ガラス管の端部に対して前記旋回軸廻りに６０°以上１２０°以下の範囲内の角度分旋回した位置であることを特徴とする請求項１又は２に記載の電球形蛍光ランプ。
【請求項４】
前記ガラス管は、前記中央部から前記ピッチ拡大位置までの範囲において前記旋回軸の方向に隣合うガラス管の隙間が、１ｍｍ以上３ｍｍ以下で旋回していると共に、前記端部と、この端部に前記旋回軸方向に隣合うガラス管の外周部位との間隔が３ｍｍ以上６ｍｍ以下であることを特徴とする請求項１〜３のいずれか１項に記載の電球形蛍光ランプ。
【請求項５】
前記保持部材の周壁に被嵌するケースを備え、前記保持部材の周壁に前記ケースが覆設したときに前記ケースの内周に係合する係合部が、前記保持部材の周壁における前記受入保持領域間の中間に形成されていることを特徴とする請求項２〜４のいずれか１項に記載の電球形蛍光ランプ。
【請求項６】
前記発光管を覆うグローブを備えると共に、前記保持部材の周壁と前記ケースとの間には隙間が形成され、前記グローブの開口側の端部が前記隙間に挿入された状態で固着されていることを特徴とする請求項１〜５のいずれか１項に記載の電球形蛍光ランプ。
【発明の詳細な説明】
【０００１】
【発明の属する技術分野】
本発明は、ガラス管の中央部から両端部までが旋回軸の廻りを旋回する２重螺旋形状をした発光管と、端壁に形成されている受入口から前記ガラス管の端部を受け入れて前記発光管を保持する筒状の保持部材とを備える電球形蛍光ランプに関する。
【０００２】
【従来の技術】
省エネルギー時代を迎えるなかで、一般電球に代わる省エネルギー光源として電球形蛍光ランプの普及が進められている。この電球形蛍光ランプは、例えば、Ｕ字状に湾曲するガラス管を３本結合してなる発光管と、この発光管を保持する有底筒状の保持部材と、この保持部材の周壁に被嵌するケースとを備える。なお、このような３本のＵ字状の発光管を用いた電球形蛍光ランプを、単に「３Ｕ型の電球形蛍光ランプ」という。
【０００３】
保持部材９２０は、図９に示すように、その端壁９２１にガラス管の端部を内部に受け入れるための受入口９２２が形成されており、この受入口９２２からガラス管の端部を受け入れた状態で接着剤により固着することで発光管を保持している。
また、この保持部材９２０の周壁に被嵌するケースの内周には、内側に突出する突出部が周方向に等間隔をおいて、例えば４個形成され、これらの突出部に対応して保持部材９２０の周壁９２３には、各突出部に係合する係合部９２４が４個形成されている。
【０００４】
これにより、保持部材９２０をケース内に挿入したときに、保持部材９２０の係合部９２４がケースの突出部に当接し、保持部材９２０をケース内へとさらに押圧することで、係合部９２４が突出部に係合する。
しかしながら、この３Ｕ型の電球形蛍光ランプは、一般電球よりも大きく、一般電球用の灯具には、電球形蛍光ランプを装着できないものもあった。そこで、本願発明者らは、電球形蛍光ランプを一般電球用の灯具にも適用できるように、これらを小型化する検討に取り組み、ガラス管の中央部から両端部までが同じ旋回軸の廻りを旋回する２重螺旋形状の発光管を利用すれば、一般電球と同等、あるいはそれよりも小さい電球形蛍光ランプが得られることを見出した（特許文献１）。
【０００５】
この２重螺旋形状の発光管を保持する保持部材は、２重螺旋形状のガラス管の端部を受け入れる受入口が端壁に形成されており、この受入口から受け入れたガラス管の端部を接着剤により固着している。
【０００６】
【特許文献１】
特開平９−１７３７８号公報
【０００７】
【発明が解決しようとする課題】
しかしながら、２重螺旋形状の発光管を用いた電球形蛍光ランプでは、発光管が取り付けられている保持部材をケースに組み込み難いという問題がある。
つまり、３Ｕ型の電球形蛍光ランプの場合、図９に示すように、保持部材９２０をケースに組み込む際に、保持部材９２０の端壁９２１上にケース側に組み込むための押圧できる領域（図中におけるハッチング部分）があった。
【０００８】
これに対して、２重螺旋形状の発光管９５０を用いた電球形蛍光ランプの場合、図１０に示すように、発光管９５０を保持している保持部材９６０の端壁９６１上には、保持部材９６０をケース側に押圧できる領域がないのである。
なお、保持部材９６０の直径を大きくすれば、保持部材９６０上に押圧できる領域を確保できるが、電球形蛍光ランプの小型化が図れず、本来の趣旨に反してしまう。
【０００９】
本発明は、上記のような問題点に鑑みてなされたもので、２重螺旋形状の発光管を用いて発光管の小型化を図ると共に、例えば、保持部材をケースに組み込むことが容易にできる電球形蛍光ランプを提供することを目的とする。
【００１０】
【課題を解決するための手段】
上記目的を達成するために、本発明に係る電球形蛍光ランプは、ガラス管の中央部から両端部までが旋回軸の廻りを旋回する２重螺旋形状をした発光管と、端壁に形成されている受入口から前記ガラス管の端部を受け入れて前記発光管を保持する筒状の保持部材とを備える電球形蛍光ランプであって、前記ガラス管の各端寄り部分と、前記旋回軸の方向に隣合うガラス管との間隔が広がるように、前記ガラス管の端寄り部分の螺旋ピッチが前記ガラス管の中央部よりの螺旋ピッチよりも拡大されており、前記ガラス管の端部と前記旋回軸と平行な方向に隣合うガラス管の外周面部位と、前記端壁の表面との最小の間隔が、１．５ｍｍ以上４ｍｍ以下の範囲に設定されていることを特徴としている。
【００１１】
この構成によれば、前記ガラス管の端部の位置に対応する前記端壁の表面と、その旋回軸方向の中央部側のガラス管の外周との間に隙間ができる。このため、例えば、その隙間を利用すれば、保持部材をケースに組み込む際に保持部材の端壁を押圧するための場所が確保される。
【００１２】
【発明の実施の形態】
＜実施の形態＞
以下、本発明を電球形蛍光ランプに適用させた場合における実施の形態を図１から図６を用いて説明する。
１．構成について
（ａ）全体構成
電球形蛍光ランプ１００は、図１に示すように、ガラス管１２０を２重螺旋形状に湾曲させてなる発光管１１０と、発光管１１０を保持する有底筒状の保持部材２１０と、この保持部材２１０に取着されると共に発光管１１０を点灯させるための電子安定器３００と、この保持部材２１０の周壁２２０に被嵌して電子安定器３００を覆うコーン状のケース２５０と、発光管１１０を覆うグローブ４００と備える。なお、ケース２５０における下部側（保持部材２１０と嵌合する側と反対側）には、一般電球と同型の口金３８０が取り付けられている。
【００１３】
電子安定器３００は、コンデンサー３１０、３３０、３４０、チョークコイル３２０等の複数の電気部品から構成されたシリーズインバータ方式であって、これらの電気部品を実装する基板３６０が保持部材２１０に取着されている。
グローブ４００は、一般電球と同様に、装飾性に優れたガラス材からなり、その形状がなす状、所謂Ａ型をしている。なお、ここでは、グローブ４００の形状としてＡ型を使用しているが、この形状に限定するものではない。
【００１４】
このグローブ４００は、保持部材２１０の周壁２２０と、これに被嵌するケース２５０の周壁との間に、グローブ４００の開口側の端部４０５が挿入されて取着されている。なお、グローブ４００の固着は、保持部材２１０とケース２５０との間に充填されている接着剤４２０を利用して行われる。
グローブ４００の頂部４０６（図１における上端）の内周面は、ガラス管１２０の頂部（図１における上端）に形成されている凸部１２６に、熱伝導性媒体４１０、具体的には、シリコン樹脂を介して熱的に結合されている。
【００１５】
（ｂ）発光管
発光管１１０は、図２に示すように、ガラス管１２０をその中央で折り返して形成した折り返し部１２１（本発明におけるガラス管の中央部）と、この折り返し部１２１の両側部分を端部１２４、１２５まで旋回軸Ａを中心としてＢ方向（この方向を、以下、「旋回方向」ともいう。）に旋回させた２つの旋回部１２２、１２３とからなる２重螺旋形状をしている。なお、旋回軸Ａと平行な方向を、以下、「旋回軸方向」という。
【００１６】
ガラス管１２０は、折り返し部１２１から所定位置（この位置を、以下、「ピッチ拡大位置」といい、具体的な位置については後述する）までの部分が、略同じ第１の螺旋ピッチで旋回し、ピッチ拡大位置から端部１２４、１２５までの部分（この範囲を、以下、「端寄り部分」ともいう。）が、端部１２４、１２５が旋回軸方向に隣合うガラス管から旋回軸方向に離れるように、第１の螺旋ピッチより大きい第２の螺旋ピッチで旋回している。なお、ここでいう螺旋ピッチは、旋回軸方向に隣合うガラス管の横断面における中心間の間隔である。
【００１７】
つまり、ガラス管１２０において、折り返し部１２１からピッチ拡大位置までは旋回軸Ａに対して角度（この角度を、以下、「旋回角度」という。）α傾斜した状態で旋回し、また、端寄り部分は旋回軸Ａに対して、旋回角度αよりも小さい角度である旋回角度β傾斜した状態で旋回している。
これにより、ガラス管１２０の端部１２４、１２５の外周と、この端部１２４、１２５が旋回軸方向に隣合うガラス管１２０の外周との隙間が、折り返し部１２１からピッチ拡大位置までの部分における隙間より大きく、しかも、その隙間は、端寄り部分１２４ａ、１２５ａにおいて端部１２４、１２５に近づくに従って大きくなっている。
【００１８】
なお、ガラス管１２０には、例えば、ストロンチウム・バリウムシリケイトガラスからなる軟質ガラスを用いている。
ガラス管１２０の両端部１２４、１２５には、タングステン製のフィラメントコイル１３１と、フィラメントコイル１３１をビーズガラスマウント方式により架持する一対のリード線１３３、１３４とからなる電極１３０が封着されている。
【００１９】
また、ガラス管１２０の一方の端部１２４側には、ガラス管１２０内を真空にしたり、後述する、水銀、緩衝ガス等を封入したりする際に使用する排気管１４０が電極１３０の封着に併せて取着される。この排気管１４０の先端は、ガラス管１２０内を排気し、水銀、緩衝ガスを封入後に、例えば、チップオフ方式で封止される。
【００２０】
ガラス管１２０の内部には、水銀が約５ｍｇのほかに、緩衝ガスとしてアルゴンが６００Ｐａで封入されている。なお、緩衝ガスは、例えば、アルゴンにネオンを混合させた混合ガスを用いても良い。
また、ガラス管１２０の内面には希土類の蛍光体１５０が塗布されている。この蛍光体１５０は、例えば、赤（Ｙ２Ｏ３：Ｅｕ）、緑（ＬａＰＯ４：Ｃｅ、Ｔｂ）及び青（ＢａＭｇ２Ａｌ１６Ｏ２７：Ｅｕ、Ｍｎ）発光の３種類を用いている。
【００２１】
（ｃ）保持部材
保持部材２１０は、図１及び図３にも示すように、端壁２３０と周壁２２０とからなる。なお、保持部材２１０は、例えば、ＰＥＴ（ポリエチレンテレフタラート）の合成樹脂材料が使用されている。この樹脂は、耐熱性に優れると共に、耐紫外線に強い特性を有している。
【００２２】
まず、端壁２３０について説明する。この端壁２３０には、ガラス管１２０の端部１２４、１２５を保持部材２１０内に受け入れて保持するための、受入保持領域が形成されている。この受入保持領域は、ガラス１２０の端部１２４、１２５を内部に受け入れるための受入口２３１、２３２と、ガラス管１２０の端部１２４、１２５を受入口２３１、２３２へと案内するガイド部２３３、２３４と、受け入れたガラス管１２０の端寄り部分１２４ａ、１２５ａを覆うカバー部２３５、２３６とからなる。
【００２３】
ここで、ガラス管１２０を保持部材２１０内に挿入する際に、ガラス管１２０の端部１２４、１２５が挿入する方向であって、その挿入していく側を下流側、その反対側を上流側とする。
受入口２３１、２３２は、端壁の中心Ｏで点対称となるように一対形成されており、その上流には、図３の（ａ）に示すように、ガラス管１２０の端寄り部分１２４ａ、１２５ａにおける保持部材２１０側の外周面の形状に合せたガイド部２３３、２３４が形成されている。
【００２４】
つまり、ガイド部２３３、２３４は、ガラス管１２０の旋回軸Ａと保持部材２１０の中心軸とを一致させた状態で、ガラス管１２０を中心軸で自転させたときに、ガラス管１２０の端部１２４、１２５における保持部材２１０側の面が描く軌道に沿って形成されており、受入口２３１、２３２に近づくに従って深くなる溝状となっている。
【００２５】
このため、発光管１１０を保持部材２１０に組み込む際に、ガラス管１２０の端寄り部分１２４ａ、１２５ａをガイド部２３３、２３４に当接させて、発光管１１０を旋回軸ＡでＢ方向（図２参照）に自転させる、或いは、保持部材２１０をその中心軸の廻りをＢ方向と逆方向に自転させると、ガラス管１２０の端部１２４、１２５を受入口２３１、２３２へと案内規制するようになっている。
【００２６】
一方、受入口２３１、２３２の下流には、発光管１１０の端寄り部分１２４ａ、１２５ａの形状に対応したカバー部２３５、２３６が形成されている。このカバー部２３５、２３６は、ガラス管１２０の端寄り部分１２４ａ、１２５ａにおける外周面の上側（折り返し部１２１側）部分の形状に合せて、端壁２３０の表面からトンネル状に隆起すると共に、挿入方向に進むに従ってその隆起量が少なくなっている。
【００２７】
そして、ガラス管１２０の端寄り部分１２４ａ、１２５ａは、旋回軸方向に隣り合うガラス管１２０の外周との隙間が、端部１２４、１２５に近づくに従って大きくなように形成され、又、カバー部２３５、２３６は、ガラス管１２０の端寄り部分１２４ａ、１２５ａに沿って形成されている。このため、図３の（ｂ）に示すように、端壁２３０表面上の受入保持領域間に平坦部分２３７ができる。
【００２８】
具体的には、図３の（ａ）に示すように、ガラス管１２０の管軸が旋回軸Ａの廻りを旋回する直径と同じ径であって、保持部材２１０の中央Ｏを中心とする円周Ｅ上において、周方向に隣合うガイド部２３３、２３４とカバー部２３５、２３６と間に距離Ｌ２（図３の（ａ）参照）が確保される。
次に、保持部材２１０の周壁２２０について説明する。この周壁２２０には、図１及び図３の（ｂ）に示すように、電子安定器３００が実装されている基板３６０を端壁２３０から支持する基板用支持部２２１と、基板３６０の口金３８０側の面に係合する基板用係合部２２３、２２４と、基板３６０の周縁に当接する当接部２２２、２２２がそれぞれ一対づつ形成されている。
【００２９】
また、周壁２２０の外周であって開口側（端壁２３０と反対側）の端縁には、径方向に張り出す鍔部２２８が全周に亘って形成されている。鍔部２２８は、一対の受入保持領域間に対応する各位置に、端壁２３０側（図３の（ｂ）において上側）に突出する一対の規制凸部２２５ａ、２２５ｂ、２２６ａ、２２６ｂがそれぞれ形成されており、ケース２５０が保持部材２１０に被嵌した状態では、保持部材２１０がケース２５０の中心軸廻りに回動するのを規制している。なお、鍔部２８０における一対の規制部２２５ａ、２２５ｂ、２２６ａ、２２６ｂ間が、ケース２５０の内周に係合する係合部２２５、２２６となっている。
【００３０】
上記構成の保持部材２１０は、ガラス管１２０の端部１２４、１２５を受入口２３１、２３２から内部に受け入れて、ガラス管１２０の端寄り部分１２４ａ、１２５ａを、図１に示すように、例えば、シリコン樹脂３９０により保持樹脂部２１０の内面に固着することで、発光管１１０を保持している。
ガラス管１２０が保持部材２１０に取り付けられた状態では、ガラス管１２０の横断面が円形状であるため、平坦部分２３７と、平坦部分２３７に対向するガラス管１２０との間隔（隙間）Ｌ１が最も小さくなるのは、円周Ｅ上であり、その円周Ｅから径方向の外側に移るに従ってその隙間は大きくなる。
【００３１】
（ｄ）ケース
ケース２５０は、図５に示すように、コーン状をし、開口の大きい筒部（以下、単に「大径筒部」という。）２５１が保持部材２１０の周壁２２０に被嵌する。また開口の小さい筒部（以下、単に「小径筒部」という。）２５２には、図１に示すような口金３８０が被着される。
【００３２】
大径筒部２５１の内周には、保持部材２１０の周壁２２０に形成されている係合部２２５、２２６と係合する係合用突出部２５５が対向して一対形成されている。なお、図５は、ケース２５０の縦断面を示しているため、符号が２５５の係合用突出部だけが表されているが、以下、単に「係合用突出部２５５」と表す場合、符号が２５５の係合用突出部だけでなく、一対の係合用突出部を指すものとする。
【００３３】
また係合用突出部２５５の周方向の両端には、図５に示すように、大径の開口側に突出する一対の規制凸部２５５ａ、２５５ｂが形成されており、ケース２５０が保持部材２１０に被嵌した状態で、保持部材２１０がケース２５０の中心軸廻りに回動するのを規制している。
２．具体的な構成について
本実施の形態における電球形蛍光ランプ１００は、一般電球６０Ｗ品に相当する。このため、発光管１１０は、両旋回部１２２、１２３の旋回数を合せて４．５周となるものを用い、また、口金３８０としてＥ１７型を使用している。
【００３４】
電球形蛍光ランプ１００（グローブ４００）の最大径が５５ｍｍであり、また全長が１０８ｍｍであった。これは、一般電球の最大径が６０ｍｍで、全長が１１０ｍｍであり、一般電球に対して小型化されている。
次に、発光管１１０の寸法について、図２を用いて説明する。
発光管１１０の環外径Ｄａ、つまり螺旋形状に旋回するガラス管１２０の最外周の位置における直径は３６．５ｍｍで、ガラス管１２０の管内径φｉが７．４ｍｍ、ガラス管１２０の管外径φｏが９ｍｍである。この発光管１１０の環外径Ｄａは、一般電球の大きさと同等にするには、４０ｍｍ以下が好ましいが、３０ｍｍより小型化するのは成形上無理であった。
【００３５】
また、ガラス管１２０の管外径φｏは１０ｍｍより小さいことが好ましい。これは、ガラス管１２０の管外径φｏが１０ｍｍ以上になると、ガラス管１２０の曲げ剛性が大きくなり、ガラス管１２０を湾曲させて２重螺旋形状にする際に、発光管１１０の環外径Ｄａを３６．５ｍｍ程度にまで小さくするのが難しいからである。
【００３６】
一方、ピッチ拡大位置は、ガラス管１２０の端部１２４、１２５から旋回軸Ａの廻りに中央部側に９０°旋回した位置である。ガラス管１２０における折り返し部１２１からピッチ拡大位置まで部分では、旋回部１２２同士あるいは旋回部１２３同士が旋回軸方向（図２では上下方向）に隣合うピッチＰ２ｔが２０ｍｍであり、また、旋回部１２２と旋回部１２３が旋回軸方向に隣合うピッチＰ１ｔが１０ｍｍである。
【００３７】
従って、旋回軸Ａと平行な方向に隣合うガラス管１２０の最小の隙間は略１ｍｍとなる。この隙間は３ｍｍ以下が好ましい。これは、隙間が３ｍｍより大きくなると、発光管１１０の全長が長くなると共に、隣合うガラス管１２０が離れるために輝度ムラを生じるからである。
また、ガラス管１２０の折り返し部１２１からピッチ拡大位置までの範囲における旋回角度αが略７６．７°で、ピッチ拡大位置から端部１２４、１２５までの範囲における旋回角度βが略６９．２°である。
【００３８】
なお、発光管１１０内の電極１３０（フィラメントコイル１３１）間距離は、４００ｍｍであり、発光管１１０の全長（凸部１２６の先端から電極を封着している先端までの旋回軸Ａと平行な方向の寸法）は、一般電球６０Ｗ品よりも小さい６２．８ｍｍであった。
保持部材２１０の周壁２２０は、その外径が３８．５ｍｍであり、高さが略１４．６ｍｍである。また、保持部材２１０の周壁２２０を被嵌するケース２５０の大径筒部２５１の内径は４２．７ｍｍであった。また、端壁２３０に形成されている一対のガイド部２３３、２３４とカバー部２３５、２３６との間の距離Ｌ２が、７ｍｍ程度となっている。
【００３９】
一方、上述した具体的な構成のガラス管１２０が保持部材２１０に取り付けられた状態では、ガラス管１２０の端部１２４、１２５が旋回軸方向に隣合うガラス管１２０の外周面部位と、この外周面とガラス管１２０の端部１２４、１２５との間にある端壁２３０の表面（平担部２３７）との最小の間隔Ｌ１（図４参照）が１．５ｍｍ程度である。
【００４０】
なお、ここでは、本発明を一般電球６０Ｗ品に相当する電球形蛍光ランプに適用したが、他の一般電球の品種に相当するものに適用させても良い。この場合、発光管の大きさ、電球形蛍光ランプの全長、口金の品種等が実施の形態と異なるのは言うまでもない。
３．電球形蛍光ランプの組立てについて
（ａ）発光管の製造方法
先ず、直管状のガラス管を、加熱炉等を利用して湾曲させる部分を軟化させて、そのガラス管の略中央を成形冶具の頂部に位置合わせする。この成形冶具の頂部及び外周には、発光管の２重螺旋形状に対応した溝が加工されており、ガラス管を成形冶具の頂部に位置合せした状態で、成形冶具を回転させる。これにより、ガラス管が成形冶具の外周の溝に沿って２重螺旋形状に巻き付けられる。
【００４１】
その後、ガラス管の頂部に、ガラス管１２０に形成すべき凸部用の凸部成形冶具を被せる。この凸部成形冶具には、ガラス管１２０の凸部１２６に対応する凹入部が加工されており、凸部成形冶具をガラス管に被せた状態で、ガラス管内に圧力空気を吹き入れて、ガラス管の頂部に凸部を形成する。そして、ガラス管の旋回数が所定数となるように、ガラス管の両端を切断除去する。
【００４２】
ガラス管１２０の端部を除去した後、ガラス管１２０のピッチ拡大位置の周辺部を、図６の（ａ）に示すように、例えばバーナーで加熱して軟化させる。この部分が軟化すると、ガラス管１２０の端部１２４、１２５を旋回軸方向であるＣ方向に引っ張って、図６の（ｂ）に示すように、ガラス管１２０の端部１２４、１２５と、この端部１２４、１２５に隣合う旋回部１２２、１２３との間隔Ｌ３が４．５ｍｍとなるように拡げる。
【００４３】
この際、バーナーで加熱する部分は、端部１２４、１２５からピッチ拡大位置までの端寄り部分１２４ａ、１２５ａを全体的に加熱するのではなく、ピッチ拡大位置の周辺部分を局所的に加熱すれば良い。なお。この後、ガラス管１２０の内面には、公知の方法で蛍光体が塗布され、又、ガラス管の端部１２４、１２５に電極、排気管が封着され、この排気管から水銀、緩衝ガス等が封入される（図６の（ｃ）参照）。
（ｂ）発光管の保持部材への取着工程
次に、保持部材２１０への発光管１１０の取着を行う。
この発光管１１０の保持部材２１０への組み込みは、先ず、上記の保持部材２１０の端壁２３０が下になるように保持部材２１０を固定して、保持部材２１０の受入口２３１、２３２からガラス管１２０の端部１２４、１２５を挿入する。
【００４４】
具体的には、保持部材２１０の受入口２３１、２３２の上流側には、ガラス管１２０の端部１２４、１２５を受入口２３１、２３２へと案内するガイド部２３３、２３４が形成されている。このため、ガラス管１２０の旋回軸と、支持部材２１０の中心軸とを略一致させると共に、ガラス管１２０の端寄り部分１２４ａ、１２５ａをガイド部２３３、２３４に当接させて、ガラス管１２０を旋回軸で旋回方向に自転させると、ガラス管１２０の端部１２４、１２５が受入口２３１、２３２へと案内され、やがて保持部材２１０内へと挿入していく。なお、ガラス管１２０を固定して保持部材２１０を自転させても良いのは言うまでもない。
【００４５】
そして、ガラス管１２０の端部１２４、１２５が保持部材１２０の受入保持領域間の略中央に位置に対応するところまで挿入されると、その状態を保持して、ガラス管１２０の端寄り部分１２４ａ、１２５ａ（端部１２４、１２５を含んでも良い）を保持部材２１０の内面にシリコン樹脂３９０を利用して固着する。これにより、発光管１１０は保持部材２１０により保持されることになる。
【００４６】
このとき、ガラス管１２０の端寄り部分１２４ａ、１２５ａと、旋回軸方向に隣合うガラス管１２０との間隔のうち、端部１２４、１２５でその間隔が最も広くなっている上、保持部材２１０の平坦部分２３７の下方にガラス管１２０の端部１２４、１２５が位置するので、図４に示すように、保持部材２１０の平坦部分２３７と、この平坦部分２３７に対向するガラス管１２０の外周との最小の間隔Ｌ１が１．５ｍｍ以上確保される。
【００４７】
さらに、上記の保持部材２１０の構成で説明した通り、平坦部分２３７と、その上方のガラス管１２０の外周との間隔は、保持部材２１０の周縁に近づくほど大きく、端壁２３０の平坦部分２３７上に大きなスペースが生まれる。なお、このスペースは、人の手の先端部がぎりぎりの入る程度の大きさである。
（ｃ）保持部材のケースへの組み込み工程
上記の工程によりガラス管１２０が取り付けられた保持部材２１０に、電子安定器３００を構成する電気部品が実装する基板３６０を取り付ける。つまり、基板３６０の電気部品が実装されていない側の面が発光管１１０側にして、基板３６０の周縁が保持部材２１０の当接部２２２の内周に当接させるときに、基板３６０の電気部分が実装されている側の面に保持部材２１０の基板用係合部２２３、２２４を係合させる。
【００４８】
このとき、基板３６０の発光管１１０側の面（電気部品の実装面と逆の面）は、基板用支持部２２１に支持されているので、基板３６０は旋回軸方向に位置決めされ、また、基板３６０の周縁の一部は、保持部材２１０の当接部２２２の内周に当接しているので、基板３６０は、旋回軸方向と直交する方向にも位置決めされることになる。
【００４９】
次に、発光管１１０及び電子安定器３００が取り付けられた保持部材２１０の周壁２２０にケース２５０を覆設させる。具体的には、先ず、保持部材２１０の周壁２２０の鍔部２２８上にある係合部２２５、２２６と、ケース２５０の係合用突出部２５５とがケース２５０の中心軸と平行な方向に略一致するように、保持部材２１０とケース２５０との位置調整を行う。
【００５０】
両者の位置が合致すると、例えば、保持部材２１０を旋回軸方向であるＤ方向に移動させて、保持部材２１０をケース２５０内に挿入させると、保持部材２１０の係合部２２５、２２６がケース２５０の係合用突出部２５５に当接する。そして、保持部材２１０における端壁２３０の平坦部分をＤ方向にさらに押圧することで、係合部２２５、２２６が係合用突出部２５５に係合する。
【００５１】
このとき、端壁２３０上の平坦部分２３７と、その上方のガラス管１２０との間に、人の指先がぎりぎり入る程度のスペースがあるので、平坦部分２３７を押圧でき、保持部材２１０をケース２５０に容易に組み込むことができる。
さらに、ケース２５０の係合用突出部２５５に係合する係合部２２５、２２６は、保持部材２１０をケース２５０に組み込む際に端壁２３０を押圧する平坦部分２３７に対応する周壁２２０に形成されているので、平坦部分２３７を押圧した力が係合部２５５、２５６へ効率良く伝わる。
【００５２】
なお、グローブ４００、口金３８０等の装着は、従来と同じ方法でこの後行われる。また、本実施の形態では、発光管を覆うグローブ（外管バルブ）ありタイプについて説明したが、本発明は、グローブを備えない電球形蛍光ランプにも当然適用することができる。
＜変形例＞
以上、本発明を実施の形態に基づいて説明したが、本発明の内容が、上記の実施の形態に示された具体例に限定されないことは勿論であり、例えば、以下のような変形例を実施することができる。
【００５３】
１．端壁表面とガラス管の外周との間隔について
上記の実施の形態では、端壁の平坦部分と、平坦部分に対向するガラス管の外周面部位との間隔は、１．５ｍｍであったが、この間隔は、１．５ｍｍ以上４ｍｍ以下の範囲であればよい。
これは、前記間隔が、１．５ｍｍより小であると、保持部材をケースに組み込む際に、端壁を押圧するための充分なスペースが平坦部分上に形成できないからである。一方、前記間隔が、４ｍｍより大であると、端壁を押圧するための充分なスペースが平坦部分上に形成できるが、電球形蛍光ランプの全長が大きくなるからである。
【００５４】
なお、前記間隔は、ガラス管の端寄り部分の螺旋ピッチ、また、ガラス管を保持部材に固着する際の位置等によって設定される。
２．ガラス管について
（ａ）ピッチ拡大位置について
上記の実施の形態では、ピッチ拡大位置を、ガラス管の端部から旋回軸の廻りを中央部側に９０°旋回したところとしていたが、ピッチ拡大位置をこの位置に限定するものではなく、端部を基準にして旋回軸の廻りを旋回する角度は、６０°以上１２０°以下であれば良い。
【００５５】
これは、端部から旋回する角度が６０°より小であると、ガラス管を保持部材内に固着する際に、シリコン樹脂と固着されるガラス管の端寄り部分の面積が小さく、安定した状態で発光管を保持できないためであり、逆に、端部から旋回する角度が１２０°より大であると、保持部材の平坦部分と、その上方のガラス管との隙間が大きくなり、電球形蛍光ランプ全体が大きくなるからである。
【００５６】
（ｂ）端部旋回部間隔について
ガラス管の端部と、この端部に隣接するガラス管の外周との間の間隔Ｌ３（この間隔を、「端部隣接間隔」という。）を略４．５ｍｍとしているが、この端部隣接間隔は、３ｍｍ以上６ｍｍ以下であれば良い。
これは、端部隣接間隔が３ｍｍより小であると、保持部材が発光管を保持した際に、平坦部分とその上方のガラス管の外周との間隔が１．５ｍｍより小となり、保持部材をケースに組み込む際に、端壁を押圧するための充分なスペースが平坦部分上に形成できないからである。
【００５７】
一方、端部側間隔が６ｍｍより大であると、端壁を押圧するための充分なスペースが平坦部分上に形成できるが、電球形蛍光ランプの全長が大きくなるからである。
３．保持部材の受入保持領域について
上記の実施の形態で説明した保持部材の端壁には、受入口、ガイド部、カバー部からなる受入保持領域が一対形成されている。この受入保持領域は、受入口、ガイド部、カバー部の３つを備えるのが好ましいが、例えばガイド部が形成されていなくても良い。つまり、ガイド部を開口させて受入口としても良い。逆に、カバー部をなくして開口させて受入口としても良い。
【００５８】
４．保持部材とケースとの取着方法について
実施の形態では、保持部材とケースとの取着方法は、保持部材の周壁から内側に突出する係合部と、ケースの大径筒部から内側に突出する係合用突出部とが、互い係合する方法を採用しているが、他の方法でも良い。このような方法としては、例えば、保持部材の周壁に係合孔又は係合凹部を形成して、この係合孔又は係合凹部に、ケースの係合部が係合するような方法がある。
【００５９】
５．保持部材とガラス管端部との位置関係について
上記の実施の形態では、ガラス管の端部は、平面視において、保持部位の端壁に形成されている受入保持領域の間の略中央位置に一致するように、保持部材内に挿入され固定されているが、ガラス管の各端寄り部分が、前記旋回軸の方向に隣合うガラス管との間隔が広がるように形成され、この端寄り部分が端壁のカバー部に覆われておれば、実施の形態で説明したように、保持部材の平坦部分と、その上方のガラス管との間に、端壁を押圧するためのスペースが端壁上に形成される。
【００６０】
６．蛍光ランプについて
上記の実施の形態では、本発明を電球形蛍光ランプに適用させた場合について説明したが、例えば、本発明を、図８に示すような蛍光ランプにも適用できる。
この蛍光ランプ５００は、ガラス管５２０の端部まで螺旋状に旋回する２重螺旋形状の発光管５１０と、この発光管５１０（ガラス管５１１の両端寄り部分）を保持する有底円筒状の保持部材５３０と、この保持部材５３０の周壁に被嵌するケース５４０と、発光管５１０を覆うグローブ５５０と、灯具のソケットに嵌合して電力の供給を受ける片口金５６０（例えば、ＧＸ１０ｑ型）とを備える。上記電球形蛍光ランプ１００とは、保持部材５３０とケース５４０との内部に電子安定器を収納していない点、口金５６０の形状が一般電球にも使用されているねじ込み口金でない点で異なる。
【００６１】
（ａ）発光管の大きさについて
実施の形態は、一般電球の代替用である電球形蛍光ランプについて説明した。このため、発光管の大きさ、特に２重螺旋形状の環外径を、４０ｍｍ以下から３０ｍｍ程度としていたが、本発明を上述の蛍光ランプに適用する場合には、発光管の大きさに対する上述のような制限が無くなり、例えば、環外径が、４０ｍｍより大きくしても良い。
【００６２】
また、ガラス管を２重螺旋形状に形成する際の旋回角度α、βは、発光管の環外径と螺旋ピッチとで決定されるので、その都度設定すれば良い。しかしながら、旋回軸方向に隣合うガラス管（異なる旋回部間の間隔）は、１ｍｍ以上３ｍｍ以下が好ましい。これは、実施の形態で説明した通り、成形過程の問題及び輝度ムラ等の理由による。
【００６３】
７．グローブについて
上記の実施形態における電球形蛍光ランプ１００及び変形例６における蛍光ランプ５００は、発光管１１０、５１０を覆うグローブ４００、５５０を備えたタイプであるが、本発明は、グローブを備えていないタイプの電球形蛍光ランプ、さらには、蛍光ランプにも適用することができる。
【００６４】
【発明の効果】
以上のように、本発明に係る電球形蛍光ランプは、ガラス管の中央部から両端部までが旋回軸の廻りを旋回する２重螺旋形状をした発光管と、端壁に形成されている受入口から前記ガラス管の端部を受け入れて前記発光管を保持する筒状の保持部材とを備える電球形蛍光ランプであって、前記ガラス管の各端寄り部分と、前記旋回軸の方向に隣合うガラス管との間隔が広がるように、前記ガラス管の端寄り部分の螺旋ピッチが前記ガラス管の中央部よりの螺旋ピッチよりも拡大されており、前記ガラス管の端部と前記旋回軸と平行な方向に隣合うガラス管の外周面部位と、前記端壁の表面との最小の間隔が、１．５ｍｍ以上４ｍｍ以下の範囲に設定されている。
【００６５】
このため、前記ガラス管の端部の位置に対応する前記端壁の表面と、その旋回軸方向の中央部側のガラス管の外周との間に隙間ができる。従って、例えば、その隙間を利用すれば、保持部材をケースに組み込む際に保持部材の端壁を押圧するためのスペースが確保され、保持部材をケースに容易に組み込むことができる。
【図面の簡単な説明】
【図１】実施の形態における電球形蛍光ランプの一部を切り欠いた正面図である。
【図２】実施の形態における発光管の一部を切り欠いた正面図である。
【図３】（ａ）は実施の形態における保持部材の平面図であり、（ｂ）は保持部材の正面図である。
【図４】実施の形態における保持部材に発光管が保持されている状態の正面図である。
【図５】実施の形態におけるケースの縦断面図である。
【図６】２重螺旋形状の発光管の製造方法を説明するための概略図である。
【図７】発光管が取り付けられた保持部材をケースに組み込み工程を説明するための概略図である。
【図８】本発明を蛍光ランプに適用させた例を示す図である。
【図９】従来の３Ｕ型の電球形蛍光ランプに用いられている保持部材の平面図である。
【図１０】従来の２重螺旋形状の発光管を保持部材に組み込んだ状態の平面図である。
【符号の説明】
１００      電球形蛍光ランプ
１１０          発光管
１２０          ガラス管
１２４ａ、１２５ａ  端寄り部分
１３０      電極
２１０      保持部材
２２０      周壁
２２５、２２６  係合部
２３０      端壁
２３７      平坦部分
２５０      ケース
３００      電子安定器
３８０      口金
【図１】
2004265735.tif 000003
【図２】
2004265735.tif 000004
【図３】
2004265735.tif 000005
【図４】
2004265735.tif 000006
【図５】
2004265735.tif 000007
【図６】
2004265735.tif 000008
【図７】
2004265735.tif 000009
【図８】
2004265735.tif 000010
【図９】
2004265735.tif 000011
【図１０】
2004265735.tif 000012